(57)【要約】【課題】利便性を向上することができる電子機器及び電子機器の情報表示方法を提供する。【解決手段】本発明にかかる電子機器１０は、メールを受信したときにメールの内容の一部であるメール情報を表示部１２にインフォメーションする制御部１１を備える電子機器において、制御部１１は、表示部１２の画面がオフの状態からオンの状態となったとき未読メールのメール情報を表示部１２に再度インフォメーションする。【選択図】図１
2015135614.tif 000002
【特許請求の範囲】
【請求項１】
メールを受信したときに該メールの内容の一部であるメール情報を表示部にインフォメーションする制御部を備える電子機器において、
前記制御部は、前記表示部の画面がオフの状態からオンの状態となったとき未読メールの前記メール情報を前記表示部に再度インフォメーションする電子機器。
【請求項２】
当該電子機器は折りたたみ式であり、
前記表示部の前記画面は、当該電子機器が閉じた状態から開いた状態となったとき前記オンの状態となる、請求項１に記載の電子機器。
【請求項３】
前記表示部は、前記オンの状態においてロック画面を表示し、
前記制御部は、前記未読メールの前記メール情報を前記表示部の前記ロック画面に再度インフォメーションする、請求項１に記載の電子機器。
【請求項４】
前記表示部の前記画面は、当該電子機器の電源が起動したとき前記オンの状態となる、請求項１に記載の電子機器。
【請求項５】
前記表示部は、前記電源の起動後にロック画面を表示し、
前記制御部は、前記未読メールの前記メール情報を前記表示部の前記ロック画面に再度インフォメーションする、請求項４に記載の電子機器。
【請求項６】
前記メール情報の表示がスクロールにより行われる場合において、
前記表示部に前記ロック画面が表示された状態において前記ロック画面の解除操作が行われると、
前記制御部は、前記解除操作後に前記表示部に表示される画面に、前記未読メールの前記メール情報を冒頭からスクロールして表示させる、請求項３又は請求項５に記載の電子機器。
【請求項７】
前記メール情報の表示がスクロールにより行われる場合において、
前記表示部に前記ロック画面が表示された状態において前記ロック画面の解除操作が行われると、
前記制御部は、前記解除操作後に前記表示部に表示される画面に、前記未読メールの前記メール情報を前記解除操作の終了時点において前記表示部に表示されていた状態からスクロールして表示させる、請求項３又は請求項５に記載の電子機器。
【請求項８】
前記メール情報の表示がスクロールにより行われる場合において、
前記制御部は、入力部を介して入力された所定の操作により、前記表示部に表示される前記未読メールの前記メール情報の前記スクロールを停止させる、請求項１乃至請求項５のいずれか一項に記載の電子機器。
【請求項９】
前記制御部は、入力部を介して前記メール情報の表示に係る操作以外の操作が入力されたとき、前記メール情報の表示を前記表示部から消去する、請求項１乃至請求項５のいずれか一項に記載の電子機器。
【請求項１０】
前記メール情報の表示がスクロールにより行われる場合において、
前記制御部は、前記表示部の前記画面が前記オフの状態となったときに前記メール情報を最後まで表示していない場合、前記メール情報を、前記画面が前記オフの状態となった時点において前記表示部に表示されていた状態からスクロールして表示させ、前記表示部の前記画面が前記オフの状態となったときに前記メール情報を最後まで表示していた場合、次のメール情報を表示させる、請求項１乃至請求項５のいずれか一項に記載の電子機器。
【請求項１１】
前記制御部は、前記未読メールの前記メール情報の全てを表示した場合に、前記表示部の画面をオフの状態にする、請求項１乃至請求項９のいずれか一項に記載の電子機器。
【請求項１２】
メールを受信したときに該メールの内容の一部であるメール情報を表示部にインフォメーションする制御部を備える電子機器において、
前記表示部の画面がオフの状態からオンの状態となったとき未読メールの前記メール情報を前記表示部に再度インフォメーションするステップを含む情報表示方法。
【発明の詳細な説明】
【技術分野】
【０００１】
本発明は、未読メールの内容について複数回インフォメーションを行うことができる電子機器及び電子機器の情報表示方法に関するものである。
【背景技術】
【０００２】
フィーチャーフォン及びスマートフォン等の電子機器が有する機能の１つとして、電子メール（以下適宜「メール」と略記する）の送受信による通信機能がある。電子機器は、メールを受信すると、電子機器のユーザに受信を通知する。例えば、電子機器は、受信音を発信したり、バイブレーションによる振動を発生したり、電子機器に備えられるＬＥＤを点滅したりすることにより、メールの受信をユーザに通知する。このとき、電子機器は、受信した電子メールの概要を表示部に表示できることが知られている。例えば、特許文献１には、受信した電子メールの送信元と、その電子メールのタイトル（サブジェクト）とを示すメール情報とをピクトインフォメーション（登録商標）として表示させる携帯電話機が記載されている。
【先行技術文献】
【特許文献】
【０００３】
【特許文献１】特開２０１１−７０４９７号公報
【発明の概要】
【発明が解決しようとする課題】
【０００４】
ピクトインフォメーションは、電子機器がメールを受信した直後に表示されるものである。すなわち、電子機器は、一度ピクトインフォメーションを表示した後、未読メールの件数は表示部に表示するが、未読メールの概要（内容）に係る情報は表示しない。そのため、ユーザは、ピクトインフォメーションによる通知を見逃した場合及びピクトインフォメーションによる通知を再確認したい場合等においては、メールの受信ボックスからメールを開いて確認する必要があり、利便性が悪い。しかも、ピクトインフォメーションは、メールの受信直後に表示されるため、メールの受信にユーザが気付かない場合及びメールの受信時にユーザが電子機器を確認できない状況にある場合等、ユーザがピクトインフォメーションを見逃す可能性は低くない。
【０００５】
従って、上記のような問題点に鑑みてなされた本発明の目的は、利便性を向上することができる電子機器及び電子機器の情報表示方法を提供することにある。
【課題を解決するための手段】
【０００６】
上述した諸課題を解決すべく、本発明に係る電子機器は、
メールを受信したときに該メールの内容の一部であるメール情報を表示部にインフォメーションする制御部を備える電子機器において、
前記制御部は、前記表示部の画面がオフの状態からオンの状態となったとき未読メールの前記メール情報を前記表示部に再度インフォメーションする。
【０００７】
当該電子機器は折りたたみ式であり、
前記表示部の前記画面は、当該電子機器が閉じた状態から開いた状態となったとき前記オンの状態となってもよい。
【０００８】
前記表示部は、前記オンの状態においてロック画面を表示し、
前記制御部は、前記未読メールの前記メール情報を前記表示部の前記ロック画面に再度インフォメーションするものであってもよい。
【０００９】
前記表示部の前記画面は、当該電子機器の電源が起動したとき前記オンの状態となってもよい。
【００１０】
前記表示部は、前記電源の起動後にロック画面を表示し、
前記制御部は、前記未読メールの前記メール情報を前記表示部の前記ロック画面に再度インフォメーションするものであってもよい。
【００１１】
前記メール情報の表示がスクロールにより行われる場合において、
前記表示部に前記ロック画面が表示された状態において前記ロック画面の解除操作が行われると、
前記制御部は、前記解除操作後に前記表示部に表示される画面に、前記未読メールの前記メール情報を冒頭からスクロールして表示させてもよい。
【００１２】
前記メール情報の表示がスクロールにより行われる場合において、
前記表示部に前記ロック画面が表示された状態において前記ロック画面の解除操作が行われると、
前記制御部は、前記解除操作後に前記表示部に表示される画面に、前記未読メールの前記メール情報を前記解除操作の終了時点において前記表示部に表示されていた状態からスクロールして表示させてもよい。
【００１３】
前記メール情報の表示がスクロールにより行われる場合において、
前記制御部は、入力部を介して入力された所定の操作により、前記表示部に表示される前記未読メールの前記メール情報の前記スクロールを停止させてもよい。
【００１４】
前記制御部は、入力部を介して前記メール情報の表示に係る操作以外の操作が入力されたとき、前記メール情報の表示を前記表示部から消去してもよい。
【００１５】
前記メール情報の表示がスクロールにより行われる場合において、
前記制御部は、前記表示部の前記画面が前記オフの状態となったときに前記メール情報を最後まで表示していない場合、前記メール情報を、前記画面が前記オフの状態となった時点において前記表示部に表示されていた状態からスクロールして表示させ、前記表示部の前記画面が前記オフの状態となったときに前記メール情報を最後まで表示していた場合、次のメール情報を表示させてもよい。
【００１６】
前記制御部は、前記未読メールの前記メール情報の全てを表示した場合に、前記表示部の画面をオフの状態にするものであってもよい。
【００１７】
上述したように本発明の解決手段を装置として説明してきたが、本発明はこれらに実質的に相当する方法としても実現し得るものであり、本発明の範囲にはこれらも包含されるものと理解されたい。
【００１８】
例えば、本発明に係る電子機器の情報表示方法は、
メールを受信したときに該メールの内容の一部であるメール情報を表示部にインフォメーションする制御部を備える電子機器において、
前記表示部の画面がオフの状態からオンの状態となったとき未読メールの前記メール情報を前記表示部に再度インフォメーションするステップを含む。
【発明の効果】
【００１９】
上記のように構成された本発明に係る電子機器及び電子機器の情報表示方法によれば、利便性を向上することができる。
【図面の簡単な説明】
【００２０】
【図１】本発明の第１の実施形態に係る電子機器の概略構成を示すブロック図である。
【図２】本発明の第１の実施形態に係る電子機器の実行構造を示す図である。
【図３】電子機器の表示部に表示されるメール情報の例を示す図である。
【図４】電子機器の表示部に複数のメール情報が表示される場合の例を示す図である。
【図５】電子機器の表示部のロック画面メール情報が表示される場合の例を示す図である。
【図６】電子機器の電源が起動したときにメール情報が表示される場合の例を示す図である。
【図７】ユーザがロック画面の解除操作を行ったときのメール情報の表示の例を示す図である。
【図８】ユーザがロック画面の解除操作を行ったときのメール情報の表示の例を示す図である。
【図９】メール情報のスクロールを停止する場合の例を示す図である。
【図１０】メール情報の表示を消去する場合の例を示す図である。
【図１１】表示部の画面をオンの状態にした場合のメール情報の表示の例を示す図である。
【図１２】メール情報の表示後に表示部の画面をオフの状態にする場合の例を示す図である。
【図１３】本発明の第２の実施形態に係る電子機器の概略構成を示すブロック図である。
【発明を実施するための形態】
【００２１】
以下、諸図面を参照しながら、本発明の実施態様を詳細に説明する。
【００２２】
（第１の実施形態）
図１は、第１の実施形態に係る電子機器１０の概略構成を示すブロック図である。図１に示すように、電子機器１０は、制御部１１と、表示部１２と、入力部１３と、通信部１４と、記憶部１５と、マイク１６と、スピーカ１７とを備える。
【００２３】
制御部１１は、電子機器１０の各機能ブロックをはじめとして、電子機器１０の全体を制御及び管理するプロセッサである。例えば、制御部１１は、所定の条件において、電子機器１０が通信部１４を介して受信した未読メールの内容の一部であるメール情報を、表示部１２に表示させることによりユーザにインフォメーション（通知）する。また、例えば、制御部１１は、入力部１３に入力されたユーザの操作に基づいて、電子機器１０が操作に応じた動作を行うように各機能ブロックを制御する。上述した所定の条件及び制御部１１が行う具体的な制御については後述する。
【００２４】
表示部１２は、液晶ディスプレイ、有機ＥＬディスプレイ、又は無機ＥＬディスプレイ等の表示デバイスである。表示部１２は、文字、写真、操作用オブジェクト等の画像を表示する。例えば、表示部１２は、電子機器１０が通信部１４を介してメールを受信したとき、メールの送信元及びメールのタイトル（サブジェクト）等を含むメール情報を表示する。
【００２５】
入力部１３は、ユーザからの操作入力を受け付けるものであり、例えば、操作ボタン（操作キー）から構成される。電子機器１０がタッチパネルを有する場合には、タッチパネルが、ユーザの指及びスタイラスペン等の接触を検出して操作入力を受け付けることにより、入力部１３として機能する。
【００２６】
通信部１４は、基地局又は他の電子機器と無線通信を行うことにより、データを送受信する。例えば、通信部１４は、他の電子機器が送信したメールを基地局から受信する。
【００２７】
記憶部１５は、半導体メモリ等で構成することができ、各種情報や電子機器１０を動作させるためのプログラム等を記憶するとともに、ワークメモリとしても機能する。
【００２８】
マイク１６は、ユーザの発話等の周囲の音を集音する。マイク１６が集音した音は、電気信号に変換して制御部１１に送られる。
【００２９】
スピーカ１７は、音声、音楽、着信音等の音を出力する。
【００３０】
図２は、本発明の第１の実施形態に係る電子機器１０の実装構造を示す図である。図２（ａ）に示す電子機器１０はいわゆる折りたたみ式のフィーチャーフォンであり、図２（ａ）はその正面図を示している。電子機器１０の筐体１８において、上側の前面に表示部１２が配置され、下側の前面に入力部１３としての操作ボタンが配置されている。電子機器１０は、図示しない背面側において、表示部１２としてサブディスプレイを備えていてもよい。サブディスプレイには、フィーチャーフォンを折りたたんだ状態で、例えば時刻及びメール情報等が表示される。なお、図２（ａ）には、いわゆる折りたたみ式のフィーチャーフォンが示されているが、フィーチャーフォンは折りたたみ式に限定されず、例えば、いわゆるストレート式やスライド式のフィーチャーフォンであってもよい。
【００３１】
図２（ｂ）に示す電子機器１０はいわゆるスマートフォンであり、図２（ｂ）はその正面図を示している。電子機器１０の筐体１８において、前面のほぼ中央に表示部１２が配置され、ユーザの操作のため、表示部１２の前面にタッチパネルとして入力部１３が配設される。
【００３２】
次に、本実施形態における電子機器１０の表示部１２の表示について説明する。電子機器１０は、通信部１４を介してメールを受信すると、表示部１２にメール情報を表示することにより、メール情報をユーザにインフォメーションする。メール情報は、メールの内容の一部を示す情報であり、例えば、メールの送信元、メールのタイトル（サブジェクト）及びメールの本文から選択された情報である。以下、本実施形態においては、メール情報はメールの送信元及びメールのタイトルであるとして説明するが、メール情報には、例えば、メール本文の冒頭部の所定数の文字を含んでもよい。
【００３３】
例えば、電子機器１０が、「○○  ○○」という名称で記憶部１５に登録されているメールの発信元から、「明日の打合せ開始時間について」というタイトル（サブジェクト）のメールを受信したとする。すると、電子機器１０の制御部１１は、メール情報を表示するためのメール情報表示部１９を表示部１２の一部に設け、メール情報である発信元とタイトルとをメール情報表示部１９に表示させる。なお、発信元のメールアドレスが記憶部１５に登録されていない場合、制御部１１は、発信元のメールアドレスをメール情報表示部１９に表示してもよい。
【００３４】
図３は、電子機器１０の表示部１２に表示されるメール情報の例を示す図である。図３に示すように、メール情報は表示部１２において一定の範囲を占めるメール情報表示部１９に表示される。図３においては、メール情報表示部１９は、表示部１２の上端に位置しているが、メール情報表示部１９の位置はこの態様に限定されず、例えば表示部１２の中央部又は下端に位置してもよい。また、メール情報表示部１９は、例えばメール情報を縦書きにして、表示部１２の右端又は左端に位置してもよい。電子機器１０が、表示部１２としてサブディスプレイを備える折りたたみ式のフィーチャーフォンである場合、メール情報表示部１９はサブディスプレイに位置してもよい。また、メール情報の全てがメール情報表示部１９に収まらない場合には、制御部１１は、メール情報をスクロールさせてメール情報表示部１９に表示させてもよい。
【００３５】
従来の電子機器は、上述のように電子機器１０がメールを受信したときにメール情報を表示部１２に表示した後、未読メールの件数を表示していた。しかし、一度表示されたメール情報は繰り返して表示されず、ユーザがメール情報を確認したい場合には、メールの受信ボックスからメールを開いて確認する必要があった。これに対し、本発明に係る電子機器１０は、所定の条件において、未読メールのメール情報をユーザに再度インフォメーションすることができる。以下、本発明に係る電子機器１０を使用して、繰り返してメール情報を確認する方法について説明する。
【００３６】
例えば、電子機器１０の制御部１１は、表示部１２の画面がオフの状態からオンの状態となったとき、メール情報を表示部１２に表示させることができる。画面がオフの状態は、表示部１２の表示が消灯した状態である。従って、画面がオフの状態は、例えば、電子機器１０の電源がオフの状態である。また、画面がオフの状態は、例えば、ユーザが電子機器１０に所定の操作を行った場合又は一定時間（例えば１０秒間）電子機器１０に何らの操作も行われなかった場合に、表示部１２の表示が消え、節電画面となった状態である。電子機器１０が、折りたたみ式のフィーチャーフォンである場合、フィーチャーフォンを開いた状態から閉じた状態にした場合においても、画面がオフの状態となる。また、画面がオンの状態は、ユーザが電子機器１０に所定の操作を行うことにより、表示部１２の表示がされた状態である。例えば、ユーザが電子機器１０の電源を起動した場合、画面はオンの状態となる。また、例えば、閉じた状態の折りたたみ式のフィーチャーフォンを開いたとき、表示部１２の画面がオンの状態となり、電子機器１０の表示部１２に図３に示すようにメール情報が表示される。このようにして、メール情報がユーザに対して再度インフォメーションされることにより、ユーザは、電子機器１０の画面をオンの状態にすることによって、メールの受信ボックスからメールを開いてメールの内容を確認することなく、簡単にメール情報を確認することができる。従って、電子機器１０の利便性が向上する。
【００３７】
ここで、再度インフォメーションを行うメール情報が複数ある場合には、制御部１１は、複数のメール情報を、例えばメールの受信日時が早い順又は遅い順に、順次表示部１２のメール情報表示部１９にスクロールさせて表示することができる。図４は、電子機器１０の表示部１２に複数のメール情報が表示される場合の例を示す図である。例えば電子機器１０の記憶部１５に３通の未読メールがある場合、制御部１１は、図４に示すように、３通の未読メールのメール情報を順次メール情報表示部１９にスクロールさせて表示する。このとき、メール情報として、例えば各メールの受信日時が含まれていてもよい。このようにして、ユーザは複数のメール情報を簡単に確認することができる。従って、電子機器１０の利便性が向上する。
【００３８】
また、電子機器１０が特にスマートフォンである場合、ユーザが電子機器１０に所定の操作を行うことにより画面がオン状態になると、表示部１２には通常ロック画面が表示される。この場合、制御部１１は、表示部１２に表示されたロック画面にメール情報を表示させることによりユーザに再度インフォメーションすることができる。図５は、表示部１２に表示されたロック画面にメール情報が表示される場合の例を示す図である。このようにロック画面においてメール情報を表示することにより、ユーザはロックを解除することなく簡単にメール情報を確認することができ、電子機器１０の利便性が向上する。なお、ロック画面は、電子機器１０が有する情報の保護等のセキュリティの観点から設けられているため、ロック画面において表示するメール情報を、ロック画面解除後に表示するメール情報より限定された情報としても良い。
【００３９】
また、電子機器１０の制御部１１は、電子機器１０の電源が起動したとき、メール情報を表示部１２に表示させることができる。図６は、電子機器１０の電源が起動したときにメール情報が表示される場合の例を示す図である。図６に示すように、電子機器１０の電源がオフの状態においては、表示部１２は消灯している（ステップＳ１０１）。そしてユーザが電子機器１０を操作することにより電源を起動すると、表示部１２に電子機器１０が起動中であることを示す画面が表示される（ステップＳ１０２）。電源の起動が完了し、電子機器１０の電源がオンの状態になると、メール情報表示部１９にメール情報が表示される（ステップＳ１０３）。このようにして、ユーザに対してメール情報が再度インフォメーションされることにより、ユーザは電子機器１０の電源を起動させることによって簡単にメール情報を確認することができる。特に、ユーザは、映画館及び劇場等、電子機器１０の電源をオフにする必要がある場所から離れた場合、電子機器１０の電源を起動することにより、迅速にメール情報を確認することができ、電子機器１０の利便性が向上する。
【００４０】
電子機器１０の電源起動時にメール情報を表示する場合において、電子機器１０が特にスマートフォンである場合、電源が起動すると、表示部１２には通常ロック画面が表示される。この場合、制御部１１は、図６のステップＳ１０３において、図５に示すようにロック画面にメール情報を表示させることによりユーザに再度インフォメーションすることができる。
【００４１】
次に、ロック画面にメール情報が表示されているときに、ユーザがロック画面の解除操作を行った場合におけるメール情報の表示について説明する。図７は、ユーザがロック画面の解除操作を行ったときのメール情報の表示の一例を示す図である。まず、電子機器１０の表示部１２にロック画面が表示され、制御部１１は、ロック画面のメール情報表示部１９にメール情報を表示しているとする（ステップＳ２０１）。この状態において、ユーザがロック画面の解除操作を行う。このとき、ロック画面の解除を行うために所定の時間を要するため、メール情報表示部１９のメール情報の表示は、ロック画面が解除されるまでの該当時間分スクロールされた状態となる。そこで、制御部１１は、ロック画面が解除されると、解除操作後に表示部１２に表示される画面のメール情報表示部１９に、メール情報を冒頭から再度表示させる（ステップＳ２０２）。このようにすることで、ロック画面の解除操作中にメール情報を確認できないユーザであっても、解除操作後にメール情報を確認することができる。
【００４２】
ここで、ユーザによっては、ロック画面の解除操作をしながらメール情報を確認しており、解除操作後にメール情報が再度冒頭から表示されることを望まない場合がある。この場合には、ロック画面の解除前後において、メール情報のスクロールが連続して表示されることが好ましい。図８は、ユーザがロック画面の解除操作を行ったときのメール情報の表示の他の例を示す図であり、具体的には、メール情報のスクロールが連続して表示される場合の例を示す図である。まず、電子機器１０の表示部１２にロック画面が表示され、制御部１１は、ロック画面のメール情報表示部１９にメール情報を表示しているとする（ステップＳ３０１）。この状態において、ユーザがロック画面の解除操作を行うと、ロック画面の解除を行うために所定の時間を要するため、メール情報表示部１９のメール情報の表示は、ロック画面が解除されるまでの該当時間分スクロールされた状態となる。そして、制御部１１は、ロック画面が解除されると、解除操作後に表示部１２に表示される画面のメール情報表示部１９に、解除操作の終了時点において表示部１２のメール情報表示部１９に表示されていた状態から、メール情報をスクロールして表示させる（ステップＳ３０２）。つまり、制御部１１は、ロック画面の解除時点で表示されていた箇所から、メール情報を表示する。このようにすることで、表示部１２は、ロック画面の解除操作の前後において重複する情報を表示することがないため、ユーザは、メール情報を再度冒頭から確認する必要がなく、スムーズにメール情報を確認することができる。
【００４３】
次に、メール情報がスクロールして表示されている間にスクロールを停止させる操作について説明する。図９は、メール情報のスクロールを停止する場合の例を示す図である。図９に示すように、表示部１２のメール情報表示部１９において、メール情報のスクロールが開始されたとする（ステップＳ４０１）。そして、ユーザがスクロールを一時的に停止したい場合、ユーザは入力部１３を介して所定の操作を行う。所定の操作は任意の操作とすることができ、例えば、入力部１３の操作ボタンのうち、スクロールを停止させるための特定のボタンを押下する操作とすることができる。また、電子機器１０がスマートフォンである場合、所定の操作は、例えばメール情報表示部１９を特定方向（例えば上方向）にフリックする操作とすることができる。ユーザがスクロールを停止させるための所定の操作を行うと、制御部１１は、入力部１３を介して入力された所定の操作により、メール情報のスクロールを停止させる（ステップＳ４０２）。一旦メール情報のスクロールが停止すると、制御部１１はスクロールの停止状態を維持し、メール情報表示部１９の表示は停止したままとなる（ステップＳ４０３）。
【００４４】
ユーザは、停止したスクロールを再度動作させてメール情報を確認したい場合には、入力部１３を介して、スクロールを動作させるための所定の操作を行う。これにより、制御部１１は、メール情報のスクロールを再度動作させる。なお、スクロールを動作させるための所定の操作は、スクロールを停止させる場合と同様に任意の操作とすることができる。例えば、所定の操作は、スクロールを停止させる所定の操作と同一の操作とすることができる。このように、メール情報のスクロールを途中で一時停止させることにより、例えばユーザがメール情報表示部１９から一時的に目を離したい場合等において、ユーザがメール情報の確認を再開する際、表示部１２は、スクロールの一時停止前後において重複する情報を表示することがない。そのため、ユーザは、メール情報を再度冒頭から確認する必要がなく、スムーズにメール情報を確認することができる。
【００４５】
次に、メール情報表示部１９にメール情報が表示されている間に、メール情報の表示を消去する操作について説明する。図１０は、メール情報の表示を消去する場合の例を示す図である。ユーザは、メール情報の表示を消去したい場合、メール情報表示部１９にメール情報が表示された状態において、入力部１３を介して、メール情報の表示に係る操作以外の操作を入力する。メール情報の表示に係る操作は、例えば上述したメール情報のスクロールを停止又は動作させるための操作等である。ユーザがメール情報の表示に係る操作以外の操作を入力すると、制御部１１は、入力部１３を介して入力された操作により、メール情報の表示を表示部１２のメール情報表示部１９から消去する。メール情報の表示が消去された場合、表示部１２においてメール情報が表示されていた箇所には、他の情報、例えば電子機器１０の電池の残量、通信部１４が通信するための電波の強弱及び未読メールの有無等が表示される。このように、メール情報の表示を消去させることにより、ユーザは、確認済みのメール情報又は不要なメール情報を消去し、電子機器１０により実行可能な他の操作を行うことができる。
【００４６】
次に、電子機器１０の表示部１２の画面がオフの状態となる場合について説明する。電子機器１０は通常、ユーザが電子機器１０に所定の操作を行った場合又は一定時間（例えば１０秒間）電子機器１０に何らの操作も行われなかった場合に、表示部１２の表示が消え、表示部１２の画面がオフの状態となる。オフの状態において、表示部１２は、消灯した節電画面である。ここでは、記憶部１５に３通の未読メールが記憶されており、制御部１１は、３通分のメール情報を表示するものとして説明する。
【００４７】
まず、ユーザが電子機器１０に所定の操作を行うことによって画面がオフの状態となる場合のメール情報の表示について説明する。図１１は、表示部１２の画面をオンの状態にした場合のメール情報の表示の例を示す図である。図１１（ａ）に示すように、表示部１２のメール情報表示部１９において、制御部１１の制御によりメール情報のスクロールが開始されたとする（ステップＳ５０１）。すると、時間の経過に伴い、メール情報表示部１９に表示されるメール情報がスクロールされる（ステップＳ５０２）。そして、メール情報がスクロールされている途中で、ユーザが画面をオフにするための所定の操作を行うと、表示部１２の画面がオフの状態となる（ステップＳ５０３）。ここでは、図１１（ａ）のステップＳ５０２に示すように、１通目のメール情報が表示されている途中で、表示部１２の画面がオフの状態となったとする。その後、ユーザが画面をオンにするための所定の操作を行うと、表示部１２の画面が点灯してオンの状態となり、メール情報表示部１９に再度メール情報が表示される。このとき、制御部１１は、画面がオフの状態となった時点において表示部１２に表示されていた状態からメール情報を表示させることができる（ステップＳ５０４）。これにより、ユーザは画面をオンの状態にするたびに、画面をオフした時点におけるメール情報を途中から確認することができる。
【００４８】
次に、図１１（ｂ）を参照する。図１１（ａ）と同様に、制御部１１の制御によりメール情報のスクロールが開始される（ステップＳ５０５）。ここで、メール情報がスクロールされ、１通目のメール情報の最後の部分までメール情報表示部１９に表示され、２通目のメール情報がスクロールにより表示された状態となったとする（ステップＳ５０６）。この状態において、ユーザが画面をオフにするための所定の操作を行うと、表示部１２の画面がオフの状態となる（ステップＳ５０７）。その後、ユーザが画面をオンにするための所定の操作を行うと、メール情報表示部１９にメール情報が表示されるが、このとき制御部１１は、次のメール情報、すなわちここでは１通目の次の２通目のメール情報を表示させる（ステップＳ５０８）。これにより、ユーザは、メール情報を再度冒頭から確認する必要がなく、スムーズにメール情報を確認することができる。なお、ここではメール情報が複数ある場合について説明したが、メール情報が１つの場合には、ステップＳ５０８における次のメール情報は、同一のメール情報の冒頭としてもよい。
【００４９】
次に、一定時間電子機器１０に何らの操作も行われなかった場合の画面の消灯について説明する。電子機器１０は、一定時間ユーザから何らの操作も行われない場合、節電のために画面を消灯してオフの状態にする機能を有するものがある。この一定時間は、例えば１０秒間等、予め設定されており変化しない。しかし、記憶部１５に記憶されたメール情報の量が多く、メール情報の表示に時間を必要とする場合、全てのメール情報の表示が終了していないにもかかわらず、一定時間が経過することによって、画面が消灯するのは利便性が悪い。従って、全てのメール情報の表示が終了してから、画面が消灯することが好ましい。
【００５０】
図１２は、メール情報の表示後に表示部１２の画面をオフの状態にする場合の例を示す図である。ここでは、記憶部１５に３通の未読メールが記憶されており、制御部１１は、３通分のメール情報を表示するものとして説明するが、未読メールの数及びメール情報の表示時間は、以下の説明に限定されず、適宜変化するものである。ここで、メール情報の表示中に、ユーザは電子機器１０に対して何らの操作も行わないものとする。また、電子機器１０について、１０秒間何らの操作も行われない場合に、通常は表示部１２の画面がオフの状態となるように設定されているものとする。
【００５１】
制御部１１は、まず１通目のメール情報を表示部１２のメール情報表示部１９に表示させる（ステップＳ６０１）。図１２に示すように、表示部１２が点灯してオンの状態となった時間、すなわち制御部１１が１通目のメール情報の表示を開始した時間が、１６時１３分５８秒であるとする。ユーザから何らの操作も行われない場合、制御部１１は、通常１６時１４分０８秒に表示部１２の画面を消灯してオフの状態とする。１通目のメール情報を表示させるために８秒の時間を要したとすると、制御部１１は、１通目のメール情報の表示が終わった後、１６時１４分０６秒から２通目のメール情報を表示させる（ステップＳ６０２）。ここで、２通目のメール情報を表示させるために、９秒の時間を要するとする。そうすると、２通目のメール情報を表示の途中で１６時１４分０８秒となり、通常は、制御部１１は、表示部１２の画面を消灯させる。しかし、ここではメール情報の表示が継続して行われているため、制御部１１は表示部１２の画面を消灯させず、オンの状態のままとする。そして、制御部１１は、３通目のメール情報を表示させる（ステップＳ６０３）。３通目のメール情報の表示が終了したとき、すなわち、メール情報の全てを表示したとき、制御部１１は、画面を消灯してオフの状態とする（ステップＳ６０４）。これにより、制御部１１はメール情報の全てを表示したときに画面をオフの状態とするため、ユーザが何らの操作を行わなくとも、メール情報を確認している途中で画面が消灯せず、ユーザは全てのメール情報を確認することができる。なお、制御部１１は、メール情報の全てを表示した場合に画面をオフの状態とするため、画面がオフの状態となるまでの時間は、表示するメール情報の数及びメール情報の文字数等に依存して変化する。
【００５２】
（第２の実施形態）
次に、本発明の第２の実施形態について説明する。図１３は、本発明の第２の実施形態に係る電子機器２０の概略構成を示すブロック図である。第２の実施形態に係る電子機器２０は、第１の実施形態に係る電子機器１０と比較して、更に押圧検出部２１を備える。その他の構成については第１の実施形態と同一であるため、同一の参照番号を付して説明を省略する。
【００５３】
押圧検出部２１は、入力部１３に対してユーザが操作を行う際の押圧を検出し、押圧に基づくデータを制御部１１に出力する。押圧検出部２１は、例えば、押圧に応じて物理的又は電気的な特性（歪み、抵抗、電圧等）が変化する歪みゲージセンサや圧電素子等を用いて構成される。押圧検出部２１が、例えば圧電素子を用いて構成された場合、押圧検出部２１の圧電素子は、入力部１３に対する押圧による荷重（力）の大きさ（又は、荷重の大きさが変化する速さ（加速度））に応じて、電気的な特性である電圧値（押圧に基づくデータ）が変化する。なお、押圧に基づくデータは、電圧値の代わりに、押圧による荷重の大きさ、電力値、抵抗値等でもよい。
【００５４】
制御部１１は、押圧検出部２１から入力部１３に対する押圧に基づくデータを取得する。そして、制御部１１は、押圧に基づくデータが所定の閾値以上である場合に、所定の操作が行われたと判断し、操作内容に応じて例えばアプリケーションに基づく等して、所定の処理を行うように制御する。
【００５５】
また、押圧検出部２１は、接触検出方式に応じて構成することができる。例えば、接触検出方式が抵抗膜方式の場合には、接触面積の大きさに応じた抵抗の大きさを、タッチセンサのタッチ面に対する押圧の荷重に対応付けることにより、歪みゲージセンサや圧電素子等を用いることなく押圧検出部２１を構成することができる。あるいは、タッチセンサが静電容量方式の場合には、静電容量の大きさを、タッチセンサに対する押圧の荷重に対応付けることにより、歪みゲージセンサや圧電素子等を用いることなく構成することができる。
【００５６】
第２の実施形態に係る電子機器２０において、制御部１１は、例えば図９のスクロールを停止するための操作に関し、押圧検出部２１から取得した入力部１３に対する押圧に基づくデータを用いることができる。すなわち、制御部１１は、押圧検出部２１から取得したデータが所定の閾値を満たす場合に、入力部１３への操作をフリック操作として検出することができる。
【００５７】
このように、第２の実施形態に係る電子機器２０は、押圧検出部２１を更に備える。そのため、電子機器２０は、他の物体と軽く接触しただけでユーザによる操作が行われたと判断することを防止できる。特に、電子機器２０を保持する際には入力部１３に指が接触するが、押圧検出部２１により押圧を検出することにより、ユーザが操作を意図していないのにもかかわらず操作したものと誤判断することを防止できる。
【００５８】
本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。
【００５９】
例えば、図７及び図８において、ロック画面の解除操作前後におけるメール情報の表示方法について説明したが、この表示方法が行われるのは、ロック画面の解除操作前後に限定されない。例えば、サブディスプレイを備える折りたたみ式フィーチャーフォンにおいて、フィーチャーフォンの開閉操作前後においても同様の表示方法を行うことができる。具体的には、フィーチャーフォンが閉じた状態でサブディスプレイにメール情報が表示されている場合において、ユーザがフィーチャーフォンを開いたとき、制御部１１は、表示部１２に表示される画面のメール情報表示部１９に、メール情報を冒頭から再度表示させることができる。また、ユーザがフィーチャーフォンを開いたとき、制御部１１は、フィーチャーフォンを開いた時点において表示部１２のメール情報表示部１９に表示されていた状態から、メール情報をスクロールして表示させることができる。
【００６０】
また、例えば、制御部１１は、メール情報を表示する前後に、他の任意の情報を表示部１２に表示させることができる。例えば、制御部１１は、メール情報を表示する前に、一定時間（例えば２秒間）時刻を表示することができる。そして、制御部１１は、時刻の表示を終了したとき、メール情報を表示することができる。このとき、制御部１１は、時刻等の他の情報の表示をしている間に、ユーザが入力部１３を使用して所定の操作を行った場合には、他の表示をする一定時間を経過する前にメール情報を表示してもよい。また、制御部１１は、メール情報と他の情報とを、同時に表示部１２に表示してもよい。このとき、メール情報と他の情報とは、例えば上下方向の２行で表示される。これにより、ユーザは、メール情報に優先して又はメール情報と同時に、他の情報を確認することができる。
【００６１】
また、制御部１１は、重要度の高いメールのメール情報を優先的に表示させることができる。重要度の高いメールは、例えば、ユーザが入力部１３を使用して予め記憶部１５に登録した所定の送信元からのメール、所定の文字列を含むメール及び所定の時間帯に送信されたメール等とすることができる。制御部１１は、メール情報の表示にあたり、まず、重要度の高いメールのメール情報を表示部１２に表示させ、その後、その他のメールのメール情報を表示させることができる。また、制御部１１は、重要度の高いメールを優先して表示させるとともに、又は優先して表示させる代わりに、重要度の高いメールを強調して表示部１２に表示させてもよい。強調は、任意の方法により行うことができ、例えば、メール情報を表示する文字及びメール情報表示部１９の色を変更したり、文字の大きさを大きくしたり、表示部１２の画像を変更したりすることができる。また、制御部１１は、スピーカ１７より音を出したり、電子機器１０を振動させたりすることによっても、重要度の高いメールを強調することができる。これにより、ユーザは重要度の高いメールのメール情報に注意を向けやすくなる。
【００６２】
また、制御部１１は、所定の情報を除いた状態で、メール情報を表示部１２に表示させることができる。所定の情報は、ユーザが入力部１３を使用して予め記憶部１５に登録した任意の情報とすることができ、例えば、所定の送信元及び所定の文字列等とすることができる。例えば、ユーザがメール情報として所定の送信元を表示させないように設定した場合、制御部１１は、メール情報からその送信元の表示を除いて、他の部分のメール情報を表示させる。このとき、ユーザの設定により、制御部１１は、予め登録された代わりの文字列を表示してもよい。例えば、「○○  ○○」という送信元の情報を除き、代わりに「送信者Ａ」と表示させるように、ユーザが設定していた場合、制御部１１は、「○○  ○○」から送信されたメールのメール情報を表示部１２に表示する際に、送信元として「送信者Ａ」との表示を行う。これにより、ユーザが第三者に知られることを希望しない情報が表示部１２に表示されないため、例えばロック画面にメール情報が表示される場合であっても、かかる情報が第三者に知られることを防ぐことができる。
【００６３】
また、例えば表示部１２が自発光素子のディスプレイ（有機ＥＬディスプレイ）の場合、制御部１１は、表示部１２の画面がオフの状態において、メール情報表示部１９の画面のみをオンの状態にして、メール情報を表示することができる。すなわち、メール情報表示部１９以外の画面はオフの状態（節電画面）としたまま、メール情報表示部１９の画面にメール情報を表示することができる。このように、画面がオンの状態となる範囲を限定することにより、電子機器１０の消費電力を低減することができる。
【００６４】
また、上述の実施形態の説明において、制御部１１は、表示部１２にメール情報を表示するとして説明したが、メール情報の出力方法はこの態様に限定されない。例えば、制御部１１は、スピーカ１７からメール情報を読み上げた音声として出力することができる。
【００６５】
また、上述の実施形態の説明において、メール情報の表示について説明したが、表示されるアイテムはメール情報に限定されない。例えば、電子機器１０に入力されたスケジュールに係る情報を表示してもよい。また、電子機器１０は、フィーチャーフォン又はスマートフォンに限定されるものではなく、他の任意の電子機器、例えばタブレット端末等であってもよい。
【符号の説明】
【００６６】
１０、２０  電子機器
１１  制御部
１２  表示部
１３  入力部
１４  通信部
１５  記憶部
１６  マイク
１７  スピーカ
１８  筐体
１９  メール情報表示部
２１  押圧検出部
【図１】
2015135614.tif 000003
【図２】
2015135614.tif 000004
【図３】
2015135614.tif 000005
【図４】
2015135614.tif 000006
【図５】
2015135614.tif 000007
【図６】
2015135614.tif 000008
【図７】
2015135614.tif 000009
【図８】
2015135614.tif 000010
【図９】
2015135614.tif 000011
【図１０】
2015135614.tif 000012
【図１１】
2015135614.tif 000013
【図１２】
2015135614.tif 000014
【図１３】
2015135614.tif 000015